(57)【特許請求の範囲】
【請求項１】
光ピックアップから光を用いて光情報記録媒体にデータを記録する記録装置であって、
前記光ピックアップから読み出した信号からＡＴＩＰ信号の抽出を行い、前記ＡＴＩＰ信号の復調を行う信号処理部と、
前記光情報記録媒体にアドレス不連続箇所が存在するか否かについて検出する検出部と、
検出部により前記アドレス不連続箇所の存在が検出されたとき、該アドレス不連続分だけ前の位置に開始アドレスを設定する補正部とを有し、
前記検出部は、この記録装置により予め把握されている前記アドレス不連続箇所に関するＡＴＩＰ情報と前記信号処理部の出力に基づいて今後データの記録が行われる前記光情報記録媒体にアドレス不連続箇所が存在するか否かについて検出するものであることを特徴とする記録装置。
【請求項２】
請求項１に記載の記録装置であって、
補正部は、前記開始アドレスとしてｔ１−（ｔ２′−ｔ１′）を設定することを特徴とする記録装置。ただし、ｔ１はアドレス不連続箇所を有しない光情報記録媒体に対する開始アドレスとして設定されたアドレスであり、前記アドレス不連続箇所はアドレスｔ１′からｔ２′の間に設定され、ｔ１′＜ｔ２′である。
【発明の詳細な説明】
【技術分野】
【０００１】
本発明は、高速記録対応の記録装置に関する。
【背景技術】
【０００２】
近年、光ビームを照射することにより記録層材料に変化を生じさせ、情報の記録を行う記録可能な光情報記録媒体、例えば、追記可能なコンパクトディスク（ＣＤ−Ｒ）や書換え可能なコンパクトディスク（ＣＤ−ＲＷ）に関し、その高速記録化が進んできている。また、任意の速度で記録できるマルチスピード対応の光情報記録媒体も存在し、高速での記録信号品質を確保しつつ、低速での記録品質が良好であることが要求されている。特に、書換え型コンパクトディスクの標準規格書であるオレンジブックパートIIIによれば、従来の１倍〜４倍速の記録
速度に対して、４倍〜１０倍なる高速記録化が規格されつつある。また、高速記録になると、線速度一定記録（ＣＬＶ）方式では、記録装置の性能上厳しくなるため、角速度一定記録（ＣＡＶ）方式で記録することが必要となる。このようなＣＡＶ記録方式に対応するためには、直径１２０ｍｍの一般的な光ディスクで約３倍の速度マージンが必要とされている。
【発明の開示】
【発明が解決しようとする課題】
【０００３】
ところが、光情報記録媒体としては記録速度に対するマージンが限界にきており、特に、相変化型の光情報記録媒体では、記録材料の特性上、記録速度のマージンを広くすることが困難であるとされている。従って、基本的には、高速でのみ記録できる光情報記録媒体となってしまう。ところが、現実には、従来の低速仕様の記録装置であっても挿入された光情報記録媒体に対して書込み指令を与えると試し書きによる記録パワーの設定等のプロセスを経て強制的に書込み処理を行ってしまう場合があるが、この際、従来の低速仕様の光情報記録媒体と高速仕様の光情報記録媒体との材質の違い等により低速仕様の記録装置では良好に書き込めないので、結果として、不良書込みにより本来のデータを消失してしまったり、でたらめな書込みとなってしまうことがある。
【０００４】
従って、このような高速記録対応の光情報記録媒体であっても、汎用性・互換性を持たせるために従来の低速仕様の記録装置や再生装置で再生可能であって、かつ、低速仕様の記録装置では記録できないようにすることが必要である。
【０００５】
そこで、本発明は、従来の低速仕様の記録装置や再生装置で再生可能であって、かつ、低速仕様の記録装置では記録できない高速記録対応の光情報記録媒体を提供することを目的とする。
【課題を解決するための手段】
【０００６】
請求項１記載の発明は、光ピックアップから光を用いて光情報記録媒体にデータを記録する記録装置であって、前記光ピックアップから読み出した信号からＡＴＩＰ信号の抽出を行い、前記ＡＴＩＰ信号の復調を行う信号処理部と、前記光情報記録媒体にアドレス不連続箇所が存在するか否かについて検出する検出部と、検出部により前記アドレス不連続箇所の存在が検出されたとき、該アドレス不連続分だけ前の位置に開始アドレスを設定する補正部とを有し、前記検出部は、この記録装置により予め把握されている前記アドレス不連続箇所に関するＡＴＩＰ情報と前記信号処理部の出力に基づいて今後データの記録が行われる前記光情報記録媒体にアドレス不連続箇所が存在するか否かについて検出するものであることを特徴とする記録装置である。
【０００７】
請求項２記載の発明は、請求項１に記載の記録装置であって、補正部は、前記開始アドレスとしてｔ１−（ｔ２’−ｔ１’）を設定することを特徴とする記録装置である。ただし、ｔ１はアドレス不連続箇所を有しない光情報記録媒体に対する開始アドレスとして設定されたアドレスであり、前記アドレス不連続箇所はアドレスｔ１’からｔ２’の間に設定され、ｔ１’＜ｔ２’である。
【発明の効果】
【０００８】
本発明によれば、光情報記録媒体にアドレスの不連続があっても、アドレスの不連続の影響を受けることなく、不連続領域へのアクセスによる試し書き処理等を経て、他の領域に対する本来の記録処理を実行することができる。
【発明を実施するための最良の形態】
【０００９】
本発明の一実施の形態を図１ないし図５に基づいて説明する。まず、本発明の記録可能で高速記録対応の光情報記録媒体１のセクタ・アドレス構造について図１及び図２を参照して説明する。
【００１０】
本実施の形態の光情報記録媒体１には、少なくとも情報を記録する前にその記録可能領域にセクタが予め形成されており、各々のセクタにはアドレスが割り振られている。そのアドレスは対応するセクタを特定し得るものである。このようなアドレスに関する情報の記録は、光情報記録媒体１の案内溝のウォブルに変調信号として載せるように記録しておくことが好ましい。例えば、ＣＤ−ＲディスクやＣＤ−ＲＷディスクの場合におけるＡＴＩＰ（Absolute Time Ｉn Pregroove）や書換え型ＤＶＤ＋ＲＷディスクの場合におけるＡＤＩＰ（AddressＩn Pregroove）が挙げられる。
【００１１】
このような光情報記録媒体１は、少なくとも、図１に示すような３つの記録可能な領域Ａ１，Ａ２，Ａ３を有する。領域Ａ１は、記録装置が記録動作時（実際の記録に先立つ処理動作時）にのみアクセスする領域である。例えば、記録装置の情報管理領域等が相当する。実際例としては、記録用の光ピックアップのレーザ光に関する記録パワーを設定するための記録前の試し書き領域（ＣＤ−Ｒディスク、ＣＤ−ＲＷディスク、ＤＶＤ＋ＲＷディスク等におけるＰＣＡ（Power Calibration Area））が該当する。この領域Ａ１は、開始アドレスｔ１から終了アドレスｔ２までの間とされている。
【００１２】
続く領域Ａ２は、記録装置が記録動作時にアクセスするとともにこの記録装置による再生動作時（実際の再生に先立つ処理動作時）にもアクセスする領域である。例えば、記録情報の管理領域として用いられることが多い。実際例としては、ＣＤ−ＲディスクやＣＤ−ＲＷディスクにおけるＰＭＡ（Program Memory Area）が該当する。この領域Ａ２は、開始アドレスｔ２から終了アドレスｔ３までの間とされている。
【００１３】
続く領域Ａ３は、記録装置の記録時（実際の記録処理実行時）及び再生時（実際の再生処理実行時）及び再生（専用）装置の再生時にアクセスする領域であり、実際に情報（データ）を記録する領域である。ＣＤ−ＲディスクやＣＤ−ＲＷディスクにおけるプログラムエリアが相当する。この領域Ａ３は、開始アドレスｔ３から開始される。
【００１４】
ここに、従来の低速記録仕様の光情報記録媒体にあっては、図６に示すように、セクタの光情報記録媒体上における物理的配列に従い、所定の法則に従ってアドレスｔが連続的に割り振り設定されている。即ち、セクタの物理的な配列とアドレスとの関係が、図６に示すように、セクタ数の増加に伴いアドレスが増加（又は、減少）していくが、媒体固有の法則に従い、アドレスは常に連続的に変化する。記録装置では、このようなアドレスから光情報記録媒体上の絶対的な位置を検出し、記録を行う。ところが、高速記録用の光情報記録媒体に関しても図６に示すようなセクタ・アドレス構造とした場合、低速仕様の記録装置の場合でも強制的に書込みを行ってしまう可能性がある。
【００１５】
この点、本実施の形態の光情報記録媒体１では、記録動作時のみアクセスする領域Ａ１に関して、セクタの物理的配列に対してアドレスｔが不連続となる不連続個所を少なくとも１箇所以上設けるようにフォーマットしたものである。この不連続個所は、アドレスｔ１′〜ｔ２′の間に設定され、これらのアドレスｔ１′，ｔ２′が領域Ａ１内、即ち、ｔ１＜ｔ１′〜ｔ２′＜ｔ２を満たすように設定されている。
【００１６】
このようなアドレスｔの不連続個所のアドレスｔ１′，ｔ２′は、記録処理を防止したい低速仕様の記録装置が領域Ａ１においてアクセスする個所に基づき決定される。例えば、低速仕様の記録装置が記録動作時に領域Ａ１内のアドレスｔ０にアクセスするものとすると、このアドレスｔ０が不連続個所中となるように、即ち、このアドレスｔ０がアドレスｔ１′〜ｔ２′間に含まれるように、アドレスｔ１′〜ｔ２′が設定される。
【００１７】
ここに，アドレスｔの不連続個所の形態としては任意に設定できるが、図２にその代表的なパターン例を３つ例示する。図２（ａ）は、セクタ領域の幅がない状態の不連続個所２としたパターン例を示す。このパターン例の場合、不連続個所２に関するアドレスｔ１′からアドレスｔ２′までのセクタが存在しないため、アドレスに不連続が発生する。このパターン例の場合、図６に示した従来一般のアドレス設定に比べて領域Ａ１のセクタ数が不連続個所１のアドレスｔ１′〜ｔ２′分だけ減少してしまうので、領域Ａ１の開始アドレスｔ１をこの減少分だけ前側に設定する。即ち、ｔ１−（ｔ２′−ｔ１′）が開始アドレスとして設定される。このようなパターン例によれば、領域Ａ１内の利用可能なセクタ数を減少させることなく、かつ、アドレスｔが不明となる領域がない状態でアドレスｔが不連続となる不連続個所２を形成することができる。
【００１８】
図２（ｂ）は、セクタの物理的配列方向に領域Ａ１′の幅を持たせてアドレスｔ１′からアドレスｔ２′までアドレスｔが不連続となる不連続個所３を形成したパターン例を示す。この際、不連続個所２の領域Ａ１′内で任意のアドレスｔｘが設定自在とされている。従って、不連続個所２について任意のアドレスｔｘの設定を利用することで、付加的な情報、例えば、媒体の種類の記述などの情報を持たせつつ、アドレスｔが不連続となる不連続個所３を形成することができる。
【００１９】
図２（ｃ）は、図２（ｂ）の場合の不連続個所３と同様の不連続個所４としたパターン例であるが、不連続個所４を形成する領域Ａ１′にアドレスｔを有しない点で異なるパターンとされている。例えば、アドレスがプレグルーブ（案内溝）のウォブル変調により記録されている場合を想定すると、ウォブル変調をなくす方法とか、ウォブル自体をなくす方法とか、プレグルーブ自体をなくす方法等により、アドレスを持たせないようにすればよい。プレグルーブ自体をなくした場合、不連続個所４による領域Ａ１′が長ければ、プリピットを領域Ａ１に設定し、トラック外れを防止するようにしてもよい。この際、プリピットに記録する情報は任意に設定できる。このようにアドレスを持たせない不連続個所４によれば、後述するように低速仕様の記録装置で記録しようとする際にこの不連続個所４で確実にエラーを発生させることができる。
【００２０】
ところで、本実施の形態の光情報記録媒体１は、高速記録が可能となるようにその媒体特性が改良されているが、低速仕様の記録装置による記録をより確実に防止するためには、以下のような特性を持つように設定されていることが好ましい。即ち、波長λ＝７８９ｎｍ、対物レンズ開口数ＮＡ＝０．５０のＣＤ系の光ピックアップ又は波長λ＝６５０ｎｍ、対物レンズ開口数ＮＡ＝０．６０のＤＶＤ系の光ピックアップを用いる場合、媒体の保証する最低記録速度（記録可能な記録装置と媒体との最低相対速度）Ｖminの１／２の速度、即ち、Ｖ＝０．５Ｖminなる相対速度で記録したときの特性が以下の通りであることが好ましい。この場合、記録信号としては図３に示すような加熱パルスと冷却パルスとの繰返しによるマルチパルス列であって、最長マーク長１１Ｔの記録信号を用いればよい。記録パワーＰｗは任意に設定され、消去パワーＰｅは０．５Ｐｗに設定される。
このような条件で光情報記録媒体１に記録された記録信号を、記録に用いた光ピックアップを用いて再生した場合の変調度ｍ11（＝Ｉ11／Ｒtop）（Ｒtop：情報が書込まれていない部分の最大反射率、Ｉ11：最長マーク長１１Ｔが記録された部分の反射率）を測定し、この変調度ｍ11がｍ11≦０．５となる特性を持つことである。このような特性を持たせた光情報記録媒体１では、媒体の保証する最高記録速度Ｖmaxでの変調度を高くすることができ、高速記録時に安定した記録信号特性を得ることができる。
【００２１】
次に、本実施の形態のような高速記録対応の光情報記録媒体１に対して記録が可能な記録装置５について図４を参照して説明する。基本的には、記録動作時に不連続個所２，３又は４の影響を受けない対策が講じられている。この記録装置５は、詳細は省略するが、スピンドルモータ６により回転駆動される光情報記録媒体１に対して記録又は再生用の光ビームを照射するレーザ光源、対物レンズ、受光素子等を備えた光ピックアップ７と、この光ピックアップ７により受光検出された読み出し信号に対してアドレス信号の抽出を行う読み出し信号処理部８と、この読み出し信号処理部８から得られるアドレス信号に対して復調処理を行うアドレス信号処理部９と、このアドレス信号処理部９の出力に基づきアドレスの不連続の有無を検出する検出手段としてのアドレス不連続検出部１０と、このアドレス不連続検出部１０によりアドレスの不連続が検出された場合に所定のアドレス補正を行う補正手段としてのアドレス補正部１１と、光ピックアップ７中のレーザ光源に対する記録装置制御部１２とを備えた構成とされている。
【００２２】
このような構成において、回転駆動されている光情報記録媒体１に光ピックアップ７により光ビームを集光照射し、その反射光を受光素子で受光することにより信号を読み出す。読み出された信号について読み出し信号処理部８によりアドレス信号のみを抽出する。抽出されたアドレス信号はアドレス信号処理部９により復調されて現在光ビームを照射している個所のアドレスを特定する。このとき、アドレス不連続検出部１０を有しない従来の低速仕様の記録装置の場合であれば、領域Ａ１のアクセスにおいて不連続個所２，３又は４部分のアクセスによりアドレスに不連続が発生するとトラッキング外れが生じたと判断してエラー信号を記録装置制御部１２に返してしまうため、それ以降の処理、即ち、試し書きや本来の記録処理に移行することができない。これにより、低速仕様の記録装置で書き込んでしまうことが防止される。
【００２３】
一方、本実施の形態の記録装置５の場合、アドレス不連続検出部１０及びアドレス補正部１１を備え、当該光情報記録媒体１の領域Ａ１中の不連続個所２，３又は４に関するアドレス情報を予め把握しているので、領域Ａ１のアクセスにおいてアドレスに不連続が発生しても、アドレス不連続検出部１０により不連続個所２，３又は４部分のアクセスによるアドレスの不連続であると認識し、その旨をアドレス補正部１１に出力することより、アドレス補正部１１では不連続個所２，３又は４部分のアドレスだけ飛ばすようにアドレス補正を行い、記録装置制御部１２にアドレス情報を出力する。これにより、不連続個所２，３又は４によるアドレスの不連続の影響を受けることなく、記録装置制御部１２による制御等を通じて、この領域Ａ１のアクセスによる試し書き処理（記録パワーＰｗの設定）等を経て、領域Ａ３等に対する本来の記録処理が可能となる。
【００２４】
なお、記録装置や再生装置による再生処理については、低速仕様／高速仕様を問わず、領域Ａ１をアクセスすることなく、アドレスｔがセクタの物理的配列に従い連続的に設定された領域Ａ２，Ａ３のアクセスとなるため、支障なく再生を行える。
【実施例】
【００２５】
前述した実施の形態に準ずる本発明の実施例について説明する。
【００２６】
＜実施例１＞
ポリカーボネート製の透明基板上に連続した案内溝（グルーブ）を螺旋状に形成しＣＤ−ＲＷ用基板を用意した。案内溝に記録されるアドレス情報（ＡＴＩＰ）に関して、以下に示すアドレスｔ１′、ｔ２′に図２（ａ）に示したようなパターン例のＡＴＩＰ不連続なる不連続個所２を以下の通り形成した。
【００２７】
ｔ１  ＝９６：２５：１０
ｔ１′＝９６：４１：４９
ｔ２′＝９７：１１：５０
ｔ２  ＝９７：２３：５０
ｔ３  ＝９７：２７：００
不連続個所２を形成した領域はＰＣＡであり、記録装置が記録動作時に記録パワーＰｗを決定するために、パワーを変更しながら試し書きを行う領域である。この領域がＡ１に相当する。アドレスｔ１′、ｔ２′は、記録装置の記録時のアクセス位置を考慮して決定した。
【００２８】
また、このようなアドレスの不連続個所２以外の領域に関しては、ＣＤ−ＲＷの規格書であるオレンジブックパートIII ver.2.0に準拠したコンパクトディスクの通常再生速度の1〜４倍（１Ｘ〜４Ｘ）までの記録に対応するＡＴＩＰ情報を記録した。
【００２９】
このような透明基板１３に、図５に示すように、下部誘電体層１４、記録層１５、上部誘電体層１６、金属反射層１７、保護層１８を成膜した光情報記録媒体１とした。下部誘電体層１４及び上部誘電体層１６はＺｎＳとＳｉＯ2とを主成分とする混合物からなり、記録層１５はＡｇＩｎＴｅＳｂを主成分とする相変化材料からなり、金属反射層１７はＡｌを主成分とする材料からなる。また、下部誘電体層１４及び上部誘電体層１６はＲＦスパッタリング法で成膜し、記録層１５及び金属反射層１７はＤＣスパッタリング法で成膜した。保護層１８はＵＶ硬化樹脂をスピンコート法で成膜後、ＵＶ光を照射することで硬化し形成した。
【００３０】
このようにして得られた光情報記録媒体１をＣＤ−ＲＷ初期化装置を用いて初期化することで、未記録のＣＤ−ＲＷメディアを得ることができた。作成されたメディアは上述のアドレスが不連続な不連続個所２がＰＣＡエリアに形成してある。
【００３１】
このようにＰＣＡエリアにアドレスが不連続となる不連続個所２の存在するＣＤ−ＲＷメディアを市販の（低速仕様の）記録装置で記録可能であるか否かのテストを実施した。テストを実施した記録装置は株式会社リコー製ＣＤ−Ｒ／ＲＷドライブＭＰ-７０６０Ａである。作成したＣＤ−ＲＷメディアをこのような記録装置を用いて記録を行ったところ、記録動作の初期段階でエラーが発生し、記録せずにメディアを排出したものである。
【００３２】
一方、上述した記録装置にアドレス不連続検出部１０及びアドレス補正部１１を追加する改造を施してＣＤ−ＲＷメディア（光情報記録媒体１）に対する記録動作を行わせたところ、不連続個所２によりＰＣＡエリアのＡＴＩＰの不連続があっても、不連続である00：30：00分のアドレスをアドレス補正部１１により補正することにより、問題なく試し書き等の記録動作を行い、引き続き、実際の記録を開始したものである。このようにして、本実施の形態の記録装置５では記録が可能であるが、従来の低速仕様のままの記録装置では本実施の形態による光情報記録媒体１に対して記録を行えないことが確認されたものである。
【００３３】
＜実施例２＞
実施例１の場合と同様にＣＤ−ＲＷメディアを作成した。ただし、記録層材料の組成比を変更し４Ｘ〜８Ｘなる高速で記録できるように調整を行った。作成したメディアをＣＤ−ＲＷディスク評価装置ＤＤＵ1000（λ＝７８９ｎｍ，ＮＡ＝０．５０）を用いて８Ｘ（Ｖ＝９．６ｍ／ｓ）と４Ｘ（Ｖ＝４．８ｍ／ｓ）と２Ｘ（Ｖ＝２．４ｍ／ｓ）で、図３に示したようなマルチパルス波形による記録信号で記録を行った。記録パワーＰｗはＣＤ−ＲＷの規格書であるオレンジブックパートIII ver.2.0に準拠したＯＰＣ法に従って決定した。
【００３４】
記録後の信号を再生速度Ｘ１で読み出し、各記録速度の場合について変調度ｍを測定したところ、以下の通りとなったものである。
【００３５】
８Ｘ：  Ｉ11／Itop＝０．６５
４Ｘ：  Ｉ11／Itop＝０．５６
２Ｘ：  Ｉ11／Itop＝０．４５
記録速度８Ｘ，４Ｘでの記録信号は十分な変調度が出ているが、２Ｘといった従来通りの低速での記録信号は変調度が低く、ＣＤ−ＲＷの最低規格値である０．５５を下回っている。従って、２Ｘのような低速仕様では記録できない媒体となっていることが分かる。
【００３６】
このようなＣＤ−ＲＷメディアを実施例１で用いたアドレス不連続検出部１０等を有しない従来の記録装置で書き込みを試みたところ、同様に記録前に排出されたものである。
【図面の簡単な説明】
【００３７】
【図１】本発明の一実施の形態に関するセクタ・アドレス構造を模式的に示す説明図である。
【図２】本発明の一実施の形態の光情報記録媒体に関するアドレスの不連続個所のパターン例を３つ例示するセクタ数−アドレス特性図である。
【図３】記録信号のパターン例を波形図である。
【図４】記録装置の概略構成を示すブロック図である。
【図５】光情報記録媒体の断面構造例を示す断面図である。
【図６】従来一般の光情報記録媒体に関するセクタ数−アドレス特性図である。
【符号の説明】
【００３８】
１      光情報記録媒体
２，３，４      不連続個所
５    記録装置
７      光ピックアップ
８      読み出し信号処理部
１０    検出手段（アドレス不連続検出部）、アドレス不連続検出部
１１    補正手段（アドレス補正部）、アドレス補正部
【図１】
0003717921.tif 000002
【図２】
0003717921.tif 000003
【図３】
0003717921.tif 000004
【図４】
0003717921.tif 000005
【図５】
0003717921.tif 000006
【図６】
0003717921.tif 000007